(57)【要約】【課題】二方向に移動可能な体重計、スタンドを備えた体重計、スタンドを提供する。【解決手段】秤量機構を有する大型の平板型の計量台と、前記計量台を収容して床面を移動可能なスタンドとを備えた体重計であって、前記スタンドは、前記スタンドを傾斜させた際に床面に接地して前記スタンドを支持する第１タイヤと、前記スタンドを傾斜させた際に床面に接地して前記スタンドを支持し、その進行方向が前記第１タイヤの進行方向と所定角度を成すように取り付けられた第２タイヤとを有し、前記第１タイヤが床面に接地する際の前記スタンドの第１傾斜角度は、前記第２タイヤが床面に接地する傾斜際の前記スタンドの第２傾斜角度よりも大きくなるように構成されているスタンド付き体重計を提供する。この構成により、傾斜角度によって走行方向を変更できる、二方向に移動可能な体重計を提供できる。【選択図】図１０
2020112358.tif 000002
【特許請求の範囲】
【請求項１】
秤量機構を有する大型の平板型の計量台と、前記計量台を収容して床面を移動可能なスタンドとを備えた体重計であって、
前記スタンドは、
前記スタンドを傾斜させた際に床面に接地して前記スタンドを支持する第１タイヤと、
前記スタンドを傾斜させた際に床面に接地して前記スタンドを支持し、その進行方向が前記第１タイヤの進行方向と所定角度を成すように取り付けられた第２タイヤと、
を有し、
前記第１タイヤが床面に接地する際の前記スタンドの第１傾斜角度は、前記第２タイヤが床面に接地する傾斜際の前記スタンドの第２傾斜角度とは異なるように構成されている、
ことを特徴とする体重計。
【請求項２】
前記第１タイヤおよび前記第２タイヤは、それぞれ一対ずつ設けられ、床面から離間して回動可能に取り付けられており、
前記一対の第１タイヤは、互いの軸方向が略一致するように、前記第１タイヤの進行方向に対して平行に取付けられており、
前記一対の第２タイヤは、前記第２タイヤの進行方向に対して並列に並んで取付けられている、
ことを特徴とする請求項１に記載の体重計。
【請求項３】
前記一対の第２タイヤは、前記一対の並んだ第１タイヤ間に配置され、取付けられている、
ことを特徴とする請求項２に記載の体重計。
【請求項４】
前記第２タイヤは、前記スタンドを傾斜させて前記第２タイヤ床面に接地させる傾斜方向に傾斜して取り付けられている、
ことを特徴とする請求項１〜請求項３のいずれかに記載の体重計。
【請求項５】
前記第２タイヤの接地面の横断面形状が円弧状である、
ことを特徴とする請求項１〜請求項５に記載の体重計。
【請求項６】
傾斜させることで床面を移動可能な移動機構が設けられた大型の体重計であって、
前記体重計を傾斜させた際に床面に接地して前記体重計を支持する第１タイヤと、
前記体重計を傾斜させた際に床面に接地して前記体重計を支持し、その進行方向が前記第１タイヤの進行方向と所定角度を成すように取り付けられた第２タイヤと、
を備え、
前記第１タイヤが床面に接地する際の前記体重計の第１傾斜角度は、前記第２タイヤが床面に接地する傾斜際の前記体重計の第２傾斜角度よりも大きくなるように構成されている、
ことを特徴とする体重計。
【請求項７】
計量台を収容して床面を移動可能なスタンドであって、
前記スタンドは、前記スタンドを傾斜させた際に床面に接地して前記スタンドを支持する第１タイヤと、
前記スタンドを傾斜させた際に床面に接地して前記スタンドを支持し、その進行方向が前記第１タイヤの進行方向と所定角度を成すように取り付けられた第２タイヤと、
を備え、
前記第１タイヤが床面に接地する際の前記スタンドの第１傾斜角度は、前記第２タイヤが床面に接地する傾斜際の前記スタンドの第２傾斜角度よりも大きくなるように構成されている、
ことを特徴とするスタンド。
【発明の詳細な説明】
【技術分野】
【０００１】
本願発明は主に車椅子体重計などの医療用の大型体重計において、二方向に移動可能な体重計、体重計を収容および搬送可能なスタンド、およびスタンドを備えた体重計に関する。
【背景技術】
【０００２】
従来、車椅子体重計などの医療用の大型の薄型秤は重量物であり、持ち上げての搬送は困難であるため、例えば特許文献１のように傾けた状態で移動可能な移動機構が秤自体に設けられていたり、あるいは特許文献２のように秤とは別にタイヤ付きのスタンドが設けられている。
【先行技術文献】
【特許文献】
【０００３】
【特許文献１】特開平１０−２３２１６１号
【特許文献２】実開平２−１４０４２６
【発明の概要】
【発明が解決しようとする課題】
【０００４】
しかし、これらはいずれも移動の方向が一方向のみである。車椅子体重計は大型であるため、上記の構成では小回りもきかず、狭い曲路の搬送に難がある。
【０００５】
本発明はこれを鑑みてなされたものであり、その目的は、二方向に移動可能な、体重計、体重計を収納および搬送可能なスタンド、スタンドを備えた体重計の提供である。
【課題を解決するための手段】
【０００６】
上記問題を解決するため、本発明のある態様での体重計は、秤量機構を有する大型の平板型の計量台と、前記計量台を収容して床面を移動可能なスタンドとを備えた体重計であって、前記スタンドは、前記スタンドを傾斜させた際に床面に接地して前記スタンドを支持する第１タイヤと、前記スタンドを傾斜させた際に床面に接地して前記スタンドを支持し、その進行方向が前記第１タイヤの進行方向と所定角度を成すように取り付けられた第２タイヤとを有し、前記第１タイヤが床面に接地する際の前記スタンドの第１傾斜角度は、前記第２タイヤが床面に接地する傾斜際の前記スタンドの第２傾斜角度よりも大きくなるように構成した。
【０００７】
またある態様では、前記第１タイヤおよび前記第２タイヤは、それぞれ一対ずつ設けられており、前記一対の第１タイヤは、互いの軸方向が略一致するように、前記第１タイヤの進行方向に対して平行に取付けられており、前記一対の第２タイヤは、前記第２タイヤの進行方向に対して並列に並んで取付けられているよう構成した。
【０００８】
またある態様では、前記一対の第２タイヤは、前記一対の並んだ第１タイヤ間に配置され、取付けられているよう構成した。
【０００９】
またある態様では、前記第２タイヤは、前記スタンドを傾斜させて前記第２タイヤ床面に接地させる傾斜方向に傾斜して取り付けられているよう構成した。
【００１０】
またある態様では、前記第２タイヤの接地面の横断面形状が円弧状であるよう構成した。
【００１１】
また、本発明のある態様として、傾斜させることで床面を移動可能な移動機構が設けられた大型の体重計であって、前記体重計を傾斜させた際に床面に接地して前記体重計を支持する第１タイヤと、前記体重計を傾斜させた際に床面に接地して前記体重計を支持し、その進行方向が前記第１タイヤの進行方向と所定角度を成すように取り付けられた第２タイヤとを備え、前記第１タイヤが床面に接地する際の前記体重計の第１傾斜角度は、前記第２タイヤが床面に接地する傾斜際の前記体重計の第２傾斜角度よりも大きくなるように構成される体重計を提供する。
【００１２】
また、本発明のある態様として、計量台を収容して床面を移動可能なスタンドであって、前記スタンドは、前記スタンドを傾斜させた際に床面に接地して前記スタンドを支持する第１タイヤと、前記スタンドを傾斜させた際に床面に接地して前記スタンドを支持し、その進行方向が前記第１タイヤの進行方向と所定角度を成すように取り付けられた第２タイヤとを備え、前記第１タイヤが床面に接地する際の前記スタンドの第１傾斜角度は、前記第２タイヤが床面に接地する傾斜際の前記スタンドの第２傾斜角度よりも大きくなるように構成されるスタンドを提供する。
【００１３】
上記態様によれば、進行方向が異なる二つのタイヤが取付けされているため二方向に進むことでき、方向の変更、即ち接地して支持するタイヤの変更はスタンド（あるいは体重計）の傾斜角度によって決定されるため方向変更の操作が非常に容易であり、簡易でコンパクトな構成で、小回りがきいて傾斜に強い構造をもつ体重計、体重計を収容及び搬送可能なスタンド、及びスタンドを備えた体重計を提供できる。
【発明の効果】
【００１４】
以上の説明から明らかなように、本発明によれば、二方向に移動可能な、体重計、体重計を収納および輸送可能なスタンド、及びスタンドを備えた体重計が提供できる。
【図面の簡単な説明】
【００１５】
【図１】本発明の形態に係る体重計であり、（A）は使用状態を、（B）は収容状態を示す。
【図２】スタンドの正面斜視図である。
【図３】スタンドの正面図である。
【図４】スタンドの右側面図である。
【図５】スタンドの背面図である。
【図６】スタンドの底面斜視図である。
【図７】カバーを外した状態のスタンドの正面斜視図である。
【図８】図３のVIII-VIII線に沿った断面図である。
【図９】計量台のスタンド収容を説明する説明図である。
【図１０】計量台を収容したスタンドの傾斜状態を示し、（Ａ）は０度傾斜状態、（Ｂ）はα度以上β度未満傾斜させた状態、（Ｃ）はβ度以上傾斜させた状態を示す。
【図１１】図１０のスタンドの拡大図であり、スタンドの床面との接地状態を示す説明図である（計量台は省略されている）。
【図１２】本発明の形態に係る体重計の変形例である。
【発明を実施するための形態】
【００１６】
以下、本発明の好適な実施形態を、図面を参照しながら説明する。実施の形態は、発明を限定するものではなく例示であって、実施の形態に記述されるすべての特徴やその組み合わせは、必ずしも発明の本質的なものであるとは限らない。
【００１７】
図１は、本発明の実施形態に係る体重計１であり、（Ａ）が使用状態、（Ｂ）が収容状態を示し、図２〜図７はそれぞれスタンド２０の、正面斜視図、正面図、右側面図、背面図、底面斜視図、カバーを外した状態の正面斜視図を示す。図８は図３のVIII-VIII線に沿った断面図である。
【００１８】
図１に示すように、体重計１は、計量台１０と、スタンド２０を備える。計量台１０は略扁平直方体形状で、車椅子体重計などの医療用の大型薄型秤であり、車椅子に乗ったまま直接計量台１０に乗り上げたり、足を高く上げることなく直接計量台１０に載って測定できるように、平坦面の対向する二辺に、設置状態で床面に連なる緩勾配の傾斜部を備える。計量台１０の秤量機構は、例えば特開平１０−２３２１６１号などに詳しく、従来周知の構成である。
【００１９】
スタンド２０は、計量台１０を収容および搬送が可能で、計量台１０を収容した状態においても、計量台１０を収容しない単独の状態においても、他者による支えを必要とせず、自立可能である。
【００２０】
スタンド２０は、上下方向に揺動可能に支持された表示部２１を備える。体重計１を使用の際、表示部２１は、床面に設置された計量台１０とケーブル３０で接続されて計量結果を表示する（図１（Ａ）参照）。体重計１を搬送の際は、ケーブル３０が外され、計量台１０が倒立してスタンド２０に収容され、表示部２１が計量台１０に係合して、計量台１０を固定する（図１（Ｂ）参照）。計量台１０と表示部２１とは、ケーブル３０の代わりにBluetooth（登録商標）等の無線により接続されるよう構成しても良い。
【００２１】
スタンド２０は、床面に接地するベース２３、およびベース２３に立設される支持体２２、ベース２３を覆うカバー２７を備える。
【００２２】
支持体２２は中空の金属部材から構成される。支持体２２は、ベース２３の底面部２３ａに垂設される二つの支持端部２２ａと、支持端部２２ａに連続して鉛直方向に対して背面方向へ所定角度で傾斜して上方に延びる傾斜部２２ｂと、傾斜部２２ｂに連続して水平方向（左右方向）に延びる持手部２２ｃと、二つの傾斜部２２ｂを水平方向に結ぶ水平部２２ｄとを有する。持手部２２ｃは体重計１を搬送の際に使用者に把持される。表示部２１は水平部２２ｄに支持される。支持体２２は、計量台１０を収容の際、これを支えて保持する。
【００２３】
ベース２３は一枚の金属製平板を屈曲・溶接することで形成され、スタンド２０自立時に床面との接地面である底面部２３ａ、底面部２３ａから連続して背面方向に傾いて上方に延びる背面部２３ｂ、支持体２２の背面に対向する一対の側面部２３ｃを有する。
【００２４】
側面部２３ｃの前面側の端部は支持端部２２ａに溶接されており、側面部２３ｃは支持体２２の立設を補強するリブの役割を果たす。
【００２５】
側面部２３ｃの外側には一対の第１タイヤ２５が、互いの軸が略一致するよう平行に、回動可能に支持されている。第１タイヤ２５の軸は持手部２２ｃと平行であり、第１タイヤ２５の進行方向は前後方向（図７の矢印ＤＲ１）となっている。
【００２６】
また、背面部２３ｂには、一対の第２タイヤ２６が、互いの軸が平行となるように並列に並んで、回動可能に支持されている。第２タイヤ２６の進行方向は、左右方向（図７の矢印ＤＲ２）となっており、第１タイヤ２５の進行方向と直交している。
【００２７】
第１タイヤ２５の軸は側面部２３ｃと、第２タイヤ２６の軸は背面部２３ｂと、それぞれ直交するように配置されており、背面部２３ｂは鉛直方向より背面へ傾いて設けられているため、第２タイヤ２６は鉛直方向に対して後方へ傾いた状態で支持されている（図６、図８参照）。
【００２８】
第１タイヤ２５及び第２タイヤ２６は、床面より離間して支持されているため、スタンド２０が自立した状態で、第１タイヤ２５も第２タイヤ２６も床面とは接地しない。このため、スタンド２０は底面部２３ａのみで安定して自立する。
【００２９】
底面部２３ａの上面には、一枚の金属製平板から構成される載置台２４がネジ固定されている。載置台２４は、計量台１０を載置する載置面２４ａが底面とは緩角度を成すよう、前方側が高くなるように形成されている。倒立して載置面２４ａに載置された計量台１０を、背面にある支持体２２の方向へ僅かに傾かせ、計量台１０の転倒を防止している。
【００３０】
底面部２３ａと背面部２３ｂとの稜線である屈曲部２３ｄは、使用者が持手部２２ｃを把持してスタンド２０を後方へ傾斜させる際の支点となる。
【００３１】
ベース２３は、ベース２３の形状に合わせて形成されたカバー２７に覆われている。カバー２７には、前方に左右方向に延びる凹部２７ａが形成されている。凹部２７ａには、収容状態で底面となる計量台１０の傾斜部の無い側面部が嵌合する。凹部２７ａの底面には載置台２４に対応した開口部２７ｂが設けられており、カバー２７が取付けられた状態で、開口部２７ｂから載置面２４ａが露出する。
【００３２】
カバー２７は第１タイヤ２５及び第２タイヤ２６とは離間して配置され、第１タイヤ２５及び第２タイヤ２６の回動を邪魔しない。
【００３３】
カバー２７の中央付近には物入れとして使用できる大きく窪んだ袋部２７ｃが形成されており、使用者が体重計１を搬送の際にはここへケーブル３０などを入れて一緒に運ぶことができる。
【００３４】
図９に示すように、スタンド２０に計量台１０を収容の際は、まず表示部２１を上方に揺動させ、計量台１０を倒立させて載置面２４ａに載置し、再び表示部２１を下方に揺動させて計量台１０の側面と係合させる。計量台１０は凹部２７ａに嵌り、僅かに後方に傾倒しながら支持体２２に支持された状態で表示部２１に固定され、安定した状態でスタンド２０に保持される。本実施形態では計量台１０の固定に表示部２１を用いたが、代わりに面ファスナーを用いて計量台１０を水平部２２ｄに固定するよう構成してもよい。
【００３５】
ここで、スタンド２０の搬送について図１０および図１１を用いて詳しく説明する。図１０は計量台１０を収容したスタンド２０の傾斜状態を示し、（Ａ）はスタンド２０が自立した状態、（Ｂ）は（Ａ）の状態からスタンド２０を僅かに傾斜させた状態、（Ｃ）はスタンド２０を（Ｂ）の状態からより大きな角度で傾斜させた状態を示す。図１１は図１０のスタンド２０の拡大図であり、スタンド２０の床面との接地状態を説明するための説明図である。図１１では計量台１０は省略している。
【００３６】
全体が傾斜せず、底面部２３ａが床面に接地している、即ちスタンド２０が自立した状態では、第１タイヤ２５も第２タイヤ２６も、床面には接地していない（図１１（Ａ）参照。第２タイヤ２６も僅かに床面から離間している）。このとき屈曲部２３ｄを中心として、床面と第２タイヤ２６の接線は角度αの微角を成している。また第１タイヤ２５及び第２タイヤ２６の接線と床面とは角度βを成している。０＜角度α＜角度βであり、角度βが角度αよりも大きくなるように、第１タイヤ２５及び第２タイヤ２６は、取付け位置、タイヤ半径、取付け角度を調整されて、配置されている。
【００３７】
スタンド２０を、屈曲部２３ｄを支点として背面側へ角度α以上（角度β未満）傾斜させると、底面部２３ａは床面から離間して第２タイヤ２６が床面に接地する（図１１（Ｂ）参照）。このとき、第１タイヤ２５は床面に接地しておらず、スタンド２０は第２タイヤ２６のみで支持される。第２タイヤ２６の進行方向は左右方向（図１０（Ｂ）においては扉から出入りする方向）であるため、スタンド２０は僅かに傾斜した状態で左右方向へ移動できる。
【００３８】
スタンド２０を、今度は第２タイヤ２６を支点としてさらに後方へ傾斜させ、傾斜角度が角度βを超えると、第１タイヤ２５が床面と接地して第２タイヤ２６は床面から離間し、スタンド２０は第１タイヤ２５のみで支持される（図１１（Ｃ）参照）。第１タイヤ２５の進行方向は前後方向であるため、この傾斜した状態でスタンド２０を前後方向へ移動できる。
【００３９】
即ち、使用者はスタンド２０を自身に向かって僅かに傾けることでスタンドを左右方向へ移動させることができ、更に傾斜させることでスタンド２０を押して、あるいは引いて進むことができる。図１０に示すように、使用者はスタンド２０を僅かに傾けて扉から通路へ搬出し、通路ではスタンド２０を更に傾斜させて通路を走らせ搬送することができる。スタンド２０は上記構成により二方向への移動が可能であるため小回りがきき、移動方向の変更は傾斜角度の変更のみで行えるため、操作が非常に容易である。
【００４０】
本実施形態では角度α=１度、角度β=１５度で構成されている。角度αは０度以上〜５度程度の微角が好ましい。角度α=０度（スタンド２０自立状態で第２タイヤ２６が床面に接地）とし、傾斜支点を第２タイヤ２６としても構わない。角度βは１０度以上が好ましい。
【００４１】
互いの進行方向が所定角度をなすように取り付けられた第１タイヤ２５と第２ダイヤ２６において、第２タイヤ２６が床面に接地する傾斜角度αと第１タイヤ２５が床面に接地する傾斜角度βを異ならしめるだけで二方向への移動は可能であるが、所定角度が略９０度で前後左右方向への移動とし、左右方向へ移動のための角度αが、前後方向へ移動のための角度βよりも小さい方が好ましい。これは、角度α傾けての左右方向への移動はドアの出入りなどを想定しており、あまり傾斜角度を大きくするとその分前後方向の長さが伸びるため、狭いドアからの出入りが難しくなる。一般的な扉の幅を超えない範囲で左右方向移動のためのタイヤが使用できることが必要であるため、角度αは微角であることが好ましい。さらに左右方向への移動は補助的で、通常は持手部２２ｃを把持してスタンド２０を前へ押して、あるいは後ろ手に引いて搬送するため、傾斜角度が大きい方が安定性が増して持ち運びしやすいことから、より大きな傾斜角度が必要なタイヤ（角度β）を前後方向の移動のために割り当てる方が使い勝手が良い。
【００４２】
第１タイヤ２５及び第２タイヤ２６は樹脂製であり、荷重による変形が殆どない。もちろん、両者にゴムタイヤを使用することも可能であり、その場合、計量台１０が積み込まれた状態でのタイヤの弾性変形や、傾斜させた際の沈み込み量を考慮することが望ましい。
【００４３】
移動のメインである第１タイヤ２５の間に、よりタイヤ半径の小さな第２タイヤ２６が並列に配置され、全体が狭い範囲に機能的に収まり、移動方向変更のための機構も不要で、移動機構がコンパクトに集約されている。
【００４４】
第１タイヤ２５及び第２タイヤ２６は、接地面がラウンド形状（接地面の横断面形状が円弧状）であるため、傾斜して接地しても安定してスタンド２０を支持できる。また、第２タイヤ２６はスタンド２０の傾斜方向と同方向（背面方向）に傾斜して取り付けられており、傾斜に強い構造となっている。
【００４５】
以上、本発明の好適な実施形態を説明したが、本発明は上記構成に限られない。図１２に変形例として体重計１Ａ、体重計１Ｂを示す。体重計１Ａおよび体重計１Ｂは別体としてのスタンドを有さず、前述のスタンドの輸送機能を計量台１０に備えた形態で、支持体２２は上方に延びて手すりとして計量台１０に直接取付され、第１タイヤ２５及び第２タイヤ２６も計量台１０に直接設けられている。
【００４６】
体重計１Ａはこの形態のまま搬送、収納され、使用者は体重計１Ａを傾斜させることで二方向へ自走させることができ、輸送も計量も容易に行うことができる。
【００４７】
体重計１Ｂは、収納時に支持体２２が計量台１０側へ回転して折り畳まれる形態で、コンパクトに畳むことができ、省スペースに収納できる。
【００４８】
以上、本発明の好ましい実施形態や変形例について述べたが、上記の実施形態は本発明の一例であり、これらを当業者の知識に基づいて組み合わせることが可能であり、そのような形態も本発明の範囲に含まれる。
【符号の説明】
【００４９】
１  体重計
１０  計量台
２０  スタンド
２１  表示部
２２  支持体
２３  ベース
２５  第１タイヤ
２６  第２タイヤ
【図１】
2020112358.tif 000003
【図２】
2020112358.tif 000004
【図３】
2020112358.tif 000005
【図４】
2020112358.tif 000006
【図５】
2020112358.tif 000007
【図６】
2020112358.tif 000008
【図７】
2020112358.tif 000009
【図８】
2020112358.tif 000010
【図９】
2020112358.tif 000011
【図１０】
2020112358.tif 000012
【図１１】
2020112358.tif 000013
【図１２】
2020112358.tif 000014